(57)【要約】      （修正有）【課題】「立つと軽ブレーキ」の状態から、簡単な切り替え操作で、「座るとフリー」と「座るとブレーキ」のいずれかの選択を自由にすることができるキャスタ装置を提供する。【解決手段】移動体に取付けられた車輪１１は、移動体に荷重が作用しないときは軽くブレーキがかかるキャスタ装置である。切り替え部材４の凸部４ａが軸受部材３の上面に当接する、座るとフリーの位置に切り替えられた状態で、荷重が作用してフレーム２が下動したときに、ブレーキ部２ｄが車輪１１から離れてフリーとなる。切り替え部材４の凸部４ａが軸受部材３の切欠き部３ｂに嵌まり込む、座るとブレーキの位置に切り替えられた状態で、荷重が作用してフレーム２が下動したときに、フレーム２の下部が床面に接触することでブレーキがかかる。【選択図】図１
0003195358.tif 000002
【実用新案登録請求の範囲】
【請求項１】
移動体に取付けられた車輪は、前記移動体に荷重が作用しないときは軽くブレーキがかかり、前記移動体に荷重が作用したときはフリー、またはブレーキがかかるキャスタ装置であって、
前記移動体に取付けられ、前記車輪の車軸が貫通する縦長穴と、前記車輪に上動で接触して軽くブレーキをかけるとともに下動で離れるブレーキ部とが形成されたフレームと、
前記フレームのフレーム穴部に上下動可能に嵌合され、前記車輪の車軸を支持するとともに、外周に上下方向の切欠き部が形成された軸受部材と、
前記軸受部材の上位置で前記フレーム穴部に嵌合され、凸部が前記軸受部材の上面に当接する位置と前記切欠き部に嵌り込む位置とに回転操作可能な切り替え部材と、
前記軸受部材と前記切り替え部材との間の前記フレーム穴部に嵌合され、前記切り替え部材を介して前記フレームを上方に付勢するばねとを備え、
前記切り替え部材の凸部が前記軸受部材の上面に当接する、座るとフリーの位置に切り替えられた状態で、前記移動体に荷重が作用して前記フレームがばね力に抗して短いストロークで下動したときに、前記ブレーキ部が前記車輪から離れてフリーとなり、
前記切り替え部材の凸部が前記軸受部材の切欠き部に嵌まり込む、座るとブレーキの位置に切り替えられた状態で、前記移動体に荷重が作用して前記フレームがばね力に抗して長いストロークで下動したときに、前記フレームの下部が床面に接触することでブレーキがかかるようにしたことを特徴とするキャスタ装置。
【請求項２】
前記フレームのフレーム穴部の下部に、ブレーキ用キャップが嵌合され、このブレーキ用キャップが前記床面に接触することを特徴とする請求項１に記載のキャスタ装置。
【請求項３】
前記切り替え部材の上端部に、前記フレームの上面に臨んで、手動操作可能なダイヤルが取付けられていることを特徴とする請求項１または２に記載のキャスタ装置。
【考案の詳細な説明】
【技術分野】
【０００１】
本考案は、キャスタ装置に関する。
【背景技術】
【０００２】
従来、キャスタ装置としては、移動体、例えば椅子に取付けられた車輪は、椅子に座ると（荷重が作用したとき）フリー（回転自在）となり、椅子から立つと（荷重が作用しないとき）ブレーキがかかるようにしたものがある（特許文献１参照）。これは「座るとフリー・立つとブレーキ」のタイプである。
【０００３】
または、椅子に座ると（荷重が作用したとき）ブレーキがかかり、椅子から立つと（荷重が作用しないとき）フリーになるものがある（特許文献２参照）。これは「座るとブレーキ・立つとフリー」のタイプである。
【先行技術文献】
【特許文献】
【０００４】
【特許文献１】特開２００６−２０５８９９号公報
【特許文献２】特許第３１８０２４９号公報
【考案の概要】
【考案が解決しようとする課題】
【０００５】
しかしながら、各特許文献では、使用者の好みに応じて、「座るとフリー」と「座るとブレーキ」のいずれかの選択が自由にできないという問題があった。
【０００６】
本考案は、前記問題を解消するためになされたもので、「立つと軽ブレーキ」の状態から、簡単な切り替え操作で、「座るとフリー」と「座るとブレーキ」のいずれかの選択を自由にすることができるキャスタ装置を提供することを目的とするものである。
【課題を解決するための手段】
【０００７】
前記課題を解決するために、本考案のキャスタ装置は、移動体に取付けられた車輪は、前記移動体に荷重が作用しないときは軽くブレーキがかかり、前記移動体に荷重が作用したときはフリー、またはブレーキがかかるキャスタ装置である。前記移動体に取付けられ、前記車輪の車軸が貫通する縦長穴と、前記車輪に上動で接触して軽くブレーキをかけるとともに下動で離れるブレーキ部とが形成されたフレームを備えている。前記フレームのフレーム穴部に上下動可能に嵌合され、前記車輪の車軸を支持するとともに、外周に上下方向の切欠き部が形成された軸受部材を備えている。前記軸受部材の上位置で前記フレーム穴部に嵌合され、凸部が前記軸受部材の上面に当接する位置と前記切欠き部に嵌り込む位置とに回転操作可能な切り替え部材を備えている。前記軸受部材と前記切り替え部材との間の前記フレーム穴部に嵌合され、前記切り替え部材を介して前記フレームを上方に付勢するばねとを備えている。前記切り替え部材の凸部が前記軸受部材の上面に当接する、座るとフリーの位置に切り替えられた状態で、前記移動体に荷重が作用して前記フレームがばね力に抗して短いストロークで下動したときに、前記ブレーキ部が前記車輪から離れてフリーとなる。前記切り替え部材の凸部が前記軸受部材の切欠き部に嵌まり込む、座るとブレーキの位置に切り替えられた状態で、前記移動体に荷重が作用して前記フレームがばね力に抗して長いストロークで下動したときに、前記フレームの下部が床面に接触することでブレーキがかかる。
【０００８】
本考案によれば、切り替え部材が「座るとフリー」の位置と「座るとブレーキ」の位置のいずれに切り替えられていても、移動体に荷重が作用しない状態（立った状態）では、フレームがばね力で上動して、ブレーキ部が車輪に接触することで車輪に軽くブレーキがかかるようになる。この軽くブレーキがかかるとは、移動体（例えば椅子）を手で押すとスーと進み、その手を離すとスーと止まるような状態である。すなわち、「立つと軽ブレーキ」の状態となる。
【０００９】
一方、切り替え部材が「座るとフリー」の位置において、移動体に荷重が作用した状態（座った状態）では、切り替え部材の凸部が軸受部材の上面に当接するまでの間で、フレームがばね力に抗して短いストロークで下動する。これにより、ブレーキ部が車輪から離れて車輪がフリー（回転自在）となる。すなわち、「座るとフリー」の状態となる。
【００１０】
また、切り替え部材が「座るとブレーキ」の位置において、移動体に荷重が作用した状態（座った状態）では、切り替え部材の凸部が軸受部材の切欠き部に嵌まり込むので、フレームがばね力に抗して長いストロークで下動する。これにより、ブレーキ部が車輪から離れて車輪がフリー（回転自在）となるものの、フレームの下部が床面に接触することでブレーキがかかるようになる。すなわち、「座るとブレーキ」の状態となる。
【００１１】
このように、「立つと軽ブレーキ」の状態では、移動体を手で押せば軽力で移動させることができ、手で押さない限りは勝手に移動することがない。そして、「立つと軽ブレーキ」の状態から、切り替え部材を回転操作するという簡単な切り替え操作で、「座るとフリー」と「座るとブレーキ」のいずれかの選択を自由にすることができる。
【００１２】
前記フレームのフレーム穴部の下部に、ブレーキ用キャップが嵌合され、このブレーキ用キャップが前記床面に接触する構成とすることができる。
【００１３】
この構成によれば、ブレーキ用キャップを、フレームの素材よりもブレーキ性の高い素材とすることで、ブレーキ力を高めることが可能となる。
【００１４】
前記切り替え部材の上端部に、前記フレームの上面に臨んで、手動操作可能なダイヤルが取付けられている構成とすることができる。
【００１５】
この構成によれば、切り替え部材の回転操作を、フレームの上面のダイヤルで手動操作により簡単に行うことができる。
【考案の効果】
【００１６】
本考案によれば、「立つと軽ブレーキ」の状態から、簡単な切り替え操作で、「座るとフリー」と「座るとブレーキ」のいずれかの選択を自由にすることができる。
【図面の簡単な説明】
【００１７】
【図１】本考案に係るキャスタ装置の分解斜視図である。
【図２】「座るとフリー」の位置に切り替えた図１のキャスタ装置であり、（ａ）は荷重が作用していない状態の斜視図、（ｂ）は（ａ）の要部破断斜視図である。
【図３】図２のキャスタ装置であり、（ａ）は側面図、（ｂ）は（ａ）のＩ−Ｉ線断面図である。
【図４】「座るとフリー」の位置に切り替えた図１のキャスタ装置であり、（ａ）は荷重が作用している状態の斜視図、（ｂ）は（ａ）の要部破断斜視図である。
【図５】図４のキャスタ装置であり、（ａ）は側面図、（ｂ）は（ａ）のＩ−Ｉ線断面図である。
【図６】「座るとブレーキ」の位置に切り替えた図１のキャスタ装置であり、（ａ）は荷重が作用していない状態の斜視図、（ｂ）は（ａ）の要部破断斜視図である。
【図７】図６のキャスタ装置であり、（ａ）は側面図、（ｂ）は（ａ）のＩ−Ｉ線断面図である。
【図８】「座るとブレーキ」の位置に切り替えた図１のキャスタ装置であり、（ａ）は荷重が作用している状態の斜視図、（ｂ）は（ａ）の要部破断斜視図である。
【図９】図８のキャスタ装置であり、（ａ）は側面図、（ｂ）は（ａ）のＩ−Ｉ線断面図である。
【考案を実施するための形態】
【００１８】
以下、本考案を実施するための形態について、図面を参照しながら詳細に説明する。図１は、本考案に係るキャスタ装置の分解斜視図である。
【００１９】
図２は、「座るとフリー」の位置に切り替えた図１のキャスタ装置であり、（ａ）は荷重が作用していない状態の斜視図、（ｂ）は（ａ）の要部破断斜視図である。図３は、図２のキャスタ装置であり、（ａ）は側面図、（ｂ）は（ａ）のＩ−Ｉ線断面図である。
【００２０】
キャスタ装置１は、フレーム２と、軸受部材３と、切り替え部材４と、圧縮コイルばね５とを備えている。また、ダイヤル６と、ブレーキ用キャップ７とを備えている。
【００２１】
フレーム２には、移動体、例えば椅子の脚部に差し込み固定される差し込み軸１０を回転自在に嵌合保持する縦軸穴（不図示）が形成されている。この縦軸穴から一方にオフセットした位置には、左右一対の車輪１１の車軸１２が貫通する縦長穴２ｂが形成されている。縦長穴２ｂの位置におけるフレーム２の中央部には、上部が閉塞された縦方向のフレーム穴部２ｃが形成されている。
【００２２】
縦長穴２ｂの位置におけるフレーム２の左右の外側面の上部には、円弧状のブレーキ部２ｄがそれぞれ形成されている。
【００２３】
縦長穴２ｂを貫通する車軸１２の両端には車輪１１がそれぞれ回転自在に支持され、各車輪１１の内側面には、フレーム２が上動してブレーキ部２ｄが接触したときに、車輪１１にブレーキをかけるための環状のブレーキ凹部１１ａが形成されている。そして、フレーム２が下動してブレーキ部２ｄがブレーキ凹部１１ａから離れると、車輪１１はフリー（回転自在）となる。
【００２４】
軸受部材３は、フレーム２のフレーム穴部２ｃに上下動可能に嵌合され、横軸穴３ａで車輪１１の車軸１２を支持している。軸受部材３の外周には１８０度の対称位置に上下方向の切欠き部３ｂがそれぞれ形成されている。
【００２５】
フレーム２のフレーム穴部２ｃには、軸受部材３の上位置で、切り替え部材４が回転操作可能に嵌合されている。切り替え部材４は、フレーム穴部２ｃの上底面２ｅで上動しないように当て止められている。
【００２６】
切り替え部材４は、上部が閉塞され、下部には、軸受部材３の上面に当接するとともに切欠き部３ｂに嵌まり込む凸部４ａが１８０度の対称位置に形成されている。
【００２７】
そして、切り替え部材は、凸部４ａが軸受部材３の上面に当接する位置と切欠き部３ｂに嵌り込む位置とに回転操作可能となっている。
【００２８】
圧縮コイルばね５は、軸受部材３と切り替え部材４との間のフレーム穴部２ｃに嵌合され、切り替え部材４を介してフレーム２を上方に付勢するようになる。
【００２９】
この圧縮コイルばね５でフレーム２が上方に付勢されると、ブレーキ部２ｄが車輪１１のブレーキ凹部１１ａに接触することで、車輪１１にブレーキがかかるようになる。ここで、圧縮コイルばね５のばね力は、車輪１１に軽くブレーキをかける程度に設定されている。軽くブレーキがかかるとは、移動体である椅子を手で押すとスーと進み、その手を離すとスーと止まるような状態である。すなわち、「立つと軽ブレーキ」の状態である。
【００３０】
圧縮コイルばね５は、軸受部材３の上端の突起３ｃと切り替え部材４の凸部４ａの間の凸部４ｂとで保持されている。
【００３１】
フレーム２のフレーム穴部２ｃの下部には、ブレーキ用キャップ７が嵌合されている。このキャップ７は、フレーム２とともに下動したときに、床面Ｆに接触するようになる。
【００３２】
切り替え部材４の上端部には、フレーム２の上底面２ｅの上穴２ｇからフレーム２の上面に貫通する角穴部３ｅが形成され、この角穴部３ｅに、フレーム２の上面に臨んで、手動操作可能なダイヤル６の角軸部６ｂが嵌め込み固定されている。ダイヤル６の上面には、コイン等を嵌め入れて回転操作するための溝６ａが形成されている。なお、フレーム２の上面には、ダイヤル６の操作位置を溝６ａとの関係で示す合いマーク等を施すことが好ましい。
【００３３】
前記のようなキャスタ装置１であれば、切り替え部材４が「座るとフリー」の位置（図２、図３参照）と「座るとブレーキ」の位置（図６、図７参照）のいずれかの位置に切り替えられているとする。このいずれの位置であっても、椅子に荷重Ｗが作用しない状態（立った状態）では、フレーム２がばね力で上動して、ブレーキ部２ｄが車輪１１に接触することで車輪１１に軽くブレーキがかかるようになる。
【００３４】
この軽くブレーキがかかる状態は、椅子を手で押すとスーと進み、その手を離すとスーと止まるような状態である。すなわち、「立つと軽ブレーキ」の状態である。
【００３５】
一方、切り替え部材４を「座るとフリー」の位置に切り替えて、椅子に荷重Ｗが作用した状態（座った状態）では、図４、図５のように、切り替え部材４の凸部４ａが軸受部材３の上面に当接するまでの間で、フレーム２がばね力に抗して短いストロークで下動する。これにより、ブレーキ部２ｄが車輪１１から離れて車輪１１がフリー（回転自在）となる。すなわち、「座るとフリー」の状態となる。
【００３６】
また、切り替え部材４を「座るとブレーキ」の位置に切り替えて、椅子に荷重が作用した状態（座った状態）では、図８、図９のように、切り替え部材４の凸部４ａが軸受部材３の切欠き部３ｂに嵌まり込むので、フレーム２がばね力に抗して長いストロークで下動する。これにより、ブレーキ部２ｄが車輪１１から離れて車輪１１がフリー（回転自在）となるものの、フレーム２の下部であるブレーキ用キャップ７が床面Ｆに接触することでブレーキがかかるようになる。すなわち、「座るとブレーキ」の状態となる。
【００３７】
このように、「立つと軽ブレーキ」の状態では、椅子を手で押せば軽力で移動させることができ、手で押さない限りは勝手に移動することがない。そして、「立つと軽ブレーキ」の状態から、切り替え部材４を回転操作するという簡単な切り替え操作で、「座るとフリー」と「座るとブレーキ」のいずれかの選択を自由にすることができる。
【００３８】
また、ブレーキ用キャップ７を、フレーム２の素材よりもブレーキ性の高い素材とすることで、ブレーキ力を高めることが可能となる。
【００３９】
さらに、切り替え部材４にダイヤル６を取付ければ、切り替え部材４の回転操作を、フレーム２の上面のダイヤル６で手動操作により簡単に行うことができる。
【００４０】
前記実施形態は、移動体として椅子を例にとったが、テーブル等のような他の移動体にも適用できることは言うまでもない。
【００４１】
前記実施形態は、差し込み軸１０に対して車軸１２をオフセットさせて、フレーム２を旋回可能に取付けるタイプである。しかし、差し込み軸１０に対して車軸１２をオフセットさせないで、フレーム２が旋回しない、つまり回転するタイプとすることもできる。
【符号の説明】
【００４２】
１    キャスタ装置
２    フレーム
２ｂ  縦長穴
２ｃ  フレーム穴部
２ｄ  ブレーキ部
３    軸受部材
３ｂ  切欠き部
４    切り替え部材
４ａ  凸部
５    圧縮コイルばね
６    ダイヤル
７    ブレーキ用キャップ
１１  車輪
１２  車軸
Ｆ    床面
Ｗ    荷重
【図１】
0003195358.tif 000003
【図２】
0003195358.tif 000004
【図３】
0003195358.tif 000005
【図４】
0003195358.tif 000006
【図５】
0003195358.tif 000007
【図６】
0003195358.tif 000008
【図７】
0003195358.tif 000009
【図８】
0003195358.tif 000010
【図９】
0003195358.tif 000011